(57)【要約】【課題】スロットマシン等の遊技機のフロント扉を簡単に組み付けできるようにする。【解決手段】下ヒンジ部３は下向に突出する下部支軸１５をフロント扉２側に設けるとともに該下部支軸１５が挿入される下部軸受孔１６を筺体１側に設け、上ヒンジ部４は上向に突出する上部支軸２０を筺体１側に設けるとともにフロント扉２側には側面が開口した上部軸受孔２１を設けることで該開口３２から該上部軸受孔中に上部支軸２０が挿入されるようにし、開口３２内に弾性によって突出する抜止部材２２を設け、該抜止部材２２が開口３２内に突出することにより上部支軸２０の抜脱が防がれるようにする。【選択図】図４
2016036434.tif 000002
【特許請求の範囲】
【請求項１】
前面が開口した筺体の一側縁に下ヒンジ部と上ヒンジ部が設けられ、該下ヒンジ部と上ヒンジ部とによりフロント扉を開閉可能に枢着する遊技機のフロント扉支持構造であって、
前記下ヒンジ部は下向に突出する下部支軸をフロント扉側に設けるかまたは上向に突出する下部支軸を筺体側に設け、該下部支軸が挿入される下部軸受孔を他方に設けてなり、
前記上ヒンジ部は上向に突出する上部支軸を筺体側に設けるかまたは下向に突出する上部支軸をフロント扉側に設け、他方には側面が開口した上部軸受孔を設けることで該開口から該上部軸受孔中に前記上部支軸が挿入されるようにし、さらに前記開口内に弾性によって突出する抜止部材を設け、
前記上部支軸が前記上部軸受孔中に挿入された際に該抜止部材が前記開口内に突出することにより前記上部支軸の抜脱が防がれるようにしたことを特徴とする遊技機のフロント扉支持構造。
【請求項２】
前記開口内の前記上部軸受孔と連なる部分は水平面内で略Ｌ字状に屈曲した形状に形成されていることを特徴とする請求項１に記載した遊技機のフロント扉支持構造。
【発明の詳細な説明】
【技術分野】
【０００１】
本発明は、スロットマシン等の遊技機におけるフロント扉を筺体に開閉可能に支持する構造に関するものである。
【背景技術】
【０００２】
一般にスロットマシン等の遊技機は、下記特許文献１の図２に示されているように、前面が開口した筺体（キャビネット）の一側縁の下部と上部に適宜間隔を離して一対の蝶番を設け、該蝶番によってフロント扉が開閉可能に枢着されている。また、下記特許文献２に示された遊技機では、複数の枢軸を有する周知のヒンジ金具を蝶番代わりに設け、フロント扉を閉じた際、該フロント扉の軸支部分が表面に現われることのないようにしている。
【先行技術文献】
【特許文献】
【０００３】
【特許文献１】特開２００６−３２５８７３号公報
【特許文献２】特開２００６−１４９７４１号公報
【発明の概要】
【発明が解決しようとする課題】
【０００４】
ところで、スロットマシンのフロント扉には、コイン投入口、操作ボタン、スピーカ、液晶表示装置等の構成部材が組み付けられるため総重量が重いものとなるが、このような重いフロント扉を筺体に組み付けるに際しては、該フロント扉の一側縁に設けられた下部支軸と上部支軸とを該筺体の一側縁に設けられた下ヒンジ部の軸受孔と上ヒンジ部の軸受孔とに同時に差し込まなければならない。そのため、作業者は重いフロント扉を両手で支えながら互いの支軸と軸受孔とを合致させる必要があり、しかもフロント扉を持った状態では、その合致部分が見えないことから、手探りで上下両方を同時に合致させなければならない。故に、筐体にフロント扉を組み付ける作業は、きわめて非効率であり、且つ重労働を強いられるといった問題があった。また、特許文献２に示されたような複数の枢支軸を有するヒンジ金具を使用した場合であっても、同様の作業を要するので、その組み付けに苦慮することに変わりはない。そこで、本発明は、従来の遊技機のフロント扉支持構造における組み付け作業上の問題を解決すべくなされている。
【課題を解決するための手段】
【０００５】
この課題を解決するために本発明に係る遊技機のフロント扉支持構造は、前面が開口した筺体の一側縁に下ヒンジ部と上ヒンジ部が設けられ、該下ヒンジ部と上ヒンジ部とによりフロント扉を開閉可能に枢着する遊技機のフロント扉支持構造であって、前記下ヒンジ部は下向に突出する下部支軸をフロント扉側に設けるかまたは上向に突出する下部支軸を筺体側に設け、該下部支軸が挿入される下部軸受孔を他方に設けてなり、前記上ヒンジ部は上向に突出する上部支軸を筺体側に設けるかまたは下向に突出する上部支軸をフロント扉側に設け、他方には側面が開口した上部軸受孔を設けることで該開口から該上部軸受孔中に前記上部支軸が挿入されるようにし、さらに前記開口内に弾性によって突出する抜止部材を設け、前記上部支軸が前記上部軸受孔中に挿入された際に該抜止部材が前記開口内に突出することにより前記上部支軸の抜脱が防がれるようにしたことを特徴としている。
【０００６】
また、本発明は、前記遊技機のフロント扉支持構造において、前記開口内の前記上部軸受孔と連なる部分は水平面内で略Ｌ字状に屈曲した形状に形成されていることを特徴としている。
【発明の効果】
【０００７】
本発明に係る遊技機のフロント扉支持構造によれば、フロント扉を筐体に組付けるにあたり、下部支軸を下部軸受孔に挿入し下ヒンジ部にフロント扉の重量を負荷させ、その状態で上部支軸を開口から上部軸受孔に挿入するのみ足りることになる。そのため、スロットマシン等の遊技機におけるフロント扉の組み付け作業の簡易化、効率化を図ることができる。
【図面の簡単な説明】
【０００８】
【図１】フロント扉を開いた状態の本発明に係る遊技機の斜視図。
【図２】図１のＡ−Ａ線断面矢視図。
【図３】図１のＢ−Ｂ線断面矢視図。
【図４】本発明に係る遊技機の筺体側に固着される取着プレートとフロント扉側に固着される取着プレートとを枢着した状態の斜視図。
【図５】図４の下ヒンジ部の拡大斜視図。
【図６】図４の上ヒンジ部の拡大斜視図。
【図７】図６の上ヒンジ部を裏側から見た斜視図。
【図８】図７の要部の拡大斜視図。
【図９】上部支軸の拡大斜視図。
【図１０】扉用取着プレートから組付部材を取り外した状態の斜視図。
【図１１】上ヒンジ部の動作状態図。
【発明を実施するための最良の形態】
【０００９】
次に本発明を遊技機の一例としてのスロットマシンに適用した場合の実施の形態について図面を参照しながら説明する。図１は、前面が開口したスロットマシンの筺体１と、該筺体１の一側縁に開閉可能に枢支されたスロットマシンのフロント扉２とを示している。そして、筺体１の一側縁には、下ヒンジ部３と上ヒンジ部４が設けられ、この下ヒンジ部３と上ヒンジ部４とによって筐体１に対しフロント扉２が開閉可能に枢着されることになる。また、筺体１の上側縁には、横長の凸条５が固着されており、フロント扉２を閉じたときに、該凸条５がフロント扉２の上縁部の内面に形成された凹溝６に遊嵌し密閉されることになる。なお、図示はしないが、筺体１内には、電源装置、遊技メダル貯留ケース、回転ドラム等のスロットマシン用機器が配設されることになる。また、フロント扉２には、コイン投入口、操作ボタン、スピーカ、液晶表示装置等が組み付けられることになる。さらに、筺体１の他側縁（開放側縁）とフロント扉２の他側縁（開放側縁）には、フロント扉２を閉止状態に保持し得るように施錠装置が設けられることになる。
【００１０】
前記下ヒンジ部３と前記上ヒンジ部４は、図２乃至図４に示されているように、筺体１の開口縁に固着される筐体用取着プレート７と、フロント扉２の一側縁に固着される扉用取着プレート８に形成されている。
【００１１】
前記筐体用取着プレート７は、板金からなる縦長の部材で、長手方向の長さは略筐体１の上端から下端に至る長さに設定されている。この筐体用取着プレート７は、筐体１の開口縁の内面に沿うように配置される取付板部７ａと、該取付板部７ａの一端を直角に折曲すると共にその一端をさらに直角に屈曲させた遮蔽板部７ｂとによって形成されている。また、取付板部７ａには、その上下方向に適宜間隔をもって取付孔９，９・・・が５箇所開設されており、該取付孔９，９・・・にビス１０を螺着することで筐体用取着プレート７が筐体１に装着されている。さらに、遮蔽板部７ｂの上部には上ヒンジ部４の後述する上部支軸２０が設けられ、遮蔽板部７ｂの下部には下ヒンジ部３の後述する下部軸受孔１６が設けられている。
【００１２】
前記扉用取着プレート８は、板金からなる縦長の部材で、長手方向の長さは略フロント扉２の上端から下端に至る長さに設定されている。この扉用取着プレート８は、フロント扉２の一側縁裏面に沿うように配置される取付板部８ａと、該取付板部８ａの両側を直角に折曲した側板部８ｂ，８ｃとによって断面コ字形に形成されている。また、取付板部８ａには、その上下方向に適宜間隔をもって取付孔１１，１１・・・が４箇所開設されており、該取付孔１１，１１・・・にビスを螺着することで筐体用取着プレート７がフロント扉２に装着されている。さらに、取付板部８ａの上部には、縦長矩形状の開口部１３が開設されており、該開口部１３付近に上ヒンジ部４の後述する上部軸受孔２１及び抜止部材２２が設けられている。また、取付板部８ａの下部には、下ヒンジ部３の後述する下部支軸１５が設けられている。
【００１３】
前記下ヒンジ部３は、図２及び図５に示すように、扉用取着プレート８の下部に設けられた下部支軸１５と、筐体用取着プレート７の下部に設けられた下部軸受孔１６とによって概略構成されている。前記下部支軸１５は、丸棒状の部材で、その中間部よりもやや下側にフランジ部１５ａが形成されている。また、下部支軸１５の上端部内方は雌螺子になっており、フランジ部１５ａより下側は下に向かって先細となる突起形状になっている。なお、この下部支軸１５は、コ字型の取付金具１７に装着されている。すなわち、下部支軸１５は、取付金具１７の上板１７ａと下板１７ｂに開設された挿通孔に貫挿され、その上端部にビス１８を螺着することで取付金具１７に装着されている。そして、この取付金具１７は、扉用取着プレート８の内面にスポット溶接により固着されている。他方、前記下部軸受孔１６は、筐体用取着プレート７の遮蔽板部７ｂの一側縁を扉用取着プレート８の内方にまで延設し、その先端を円弧状に湾曲させて筒状に形成されている。そして、下部支軸１５が下部軸受孔１６に回転自在に挿入されている。
【００１４】
前記上ヒンジ部４は、図３、図７乃至図９に示すように、筐体用取着プレート７の上部に設けられた上部支軸２０と、扉用取着プレート８の上部に設けられた上部軸受孔２１及び抜止部材２２によって概略構成されている。前記上部支軸２０は、図９に示すように、丸棒状の部材で下端部に太径部２０ａが形成されている。そして、この上部支軸２０は、筐体用取着プレート７の一側縁を扉用取着プレート８の内方にまで延設し、その先端を円弧状に湾曲させた筒状部２３に嵌合されており、上部支軸２０の太径部２０ａが筒状部２３の下端に位置し、上部支軸２０の上端部２０ｂが筒状部２３の上方から突出するようになっている。他方、前記上部軸受孔２１及び前記抜止部材２２は、組付部材２５に形成されている。組付部材２５は、図１０に示すように、幅板材を台形に折曲することで両側の取付基部２５ａ，２５ｂの中間に上側水平板部２５ｃ、垂直板部２５ｄ、及び下側水平板部２５ｅを形成して構成されている。なお、この組付部材２５は、取付基部２５ｂに開設された螺子孔２６に螺子を螺着することにより扉用取着プレート８に固着されている。
【００１５】
ここで、組付部材２５の構成について具体的に説明すると、組付部材２５の上側水平板部２５ｃと垂直板部２５ｄとが隣接する部分の中央には、両者に跨るようにして貫通孔３０が開設されている。また、垂直板部２５ｄの上方の一側縁には、該一側縁から直角に屈曲させて形成され軸孔が開設された折曲片部３１が形成されており、垂直板部２５ｄの下方には上部支軸２０を導入するための開口３２が開設されている。また、下側水平板部２５ｅには、図３に示すように上部支軸２０が回転自在に挿入される上部軸受孔２１が開設されていると共に、開口３２と上部軸受孔２１とを繋ぐ略Ｌ字状に屈曲した連通部３３が開設されている。さらに、下側水平板部２５ｅであって取付基部２５ｂと隣接する隅角部には切欠孔３４が開設されている。
【００１６】
前記抜止部材２２は、硬弾性プラスチック材料により一体成形されており、軸孔を有する軸筒部３５と該軸筒部３５から垂下する縦長直方体形状の軸止部３６とからなっている。また、軸筒部３５の上端には、前方に約３０度程度傾斜して起立する摘子部３７が形成されており、また、軸筒部３５の前端面には小凸部３８が形成されている。さらに、軸止部３６の背面中央からやや下側には、下方に垂下する薄板状の弾性片部３９が設けられている。そして、この抜止部材２２は、組付部材２５の上側水平板部２５ｃ、垂直板部２５ｄ、及び下側水平板部２５ｅの内側に揺動自在に装着されている。具体的には、抜止部材２２の軸筒部３５に支軸４０を水平に挿入し、組付部材２５の垂直板部２５ｄに設けられている折曲片部３１にネジ４１止めされている。このように装着された抜止部材２２の軸止部３６は、常態において、図３に示すように上部軸受孔２１の側方であって、連通部３３の上方に臨むように位置している。また、抜止部材２２の摘子部３７は、組付部材２５の貫通孔３０から斜め上方へ突出し、抜止部材２２の弾性片部３９は、組付部材２５の切欠孔３４から下方へ突出している。
【００１７】
次に、上記のように構成されているフロント扉支持構造において、フロント扉２を筐体１に組付ける方法について図３及び図１１を参照しながら説明する。まず、フロント扉２を持ち上げてフロント扉２側に設けられている下部支軸１５を筺体１側に設けられている下部軸受孔１６に挿入し、該フロント扉２の荷重を下部軸受孔１６に負担させる。この時、フロント扉２の荷重は、完全に下部軸受孔１６に掛かるので、作業者はフロント扉２の荷重を受ける必要がない。次いで、図３に示されているように、フロント扉２側に設けられている組付部材２５の開口３２に筺体１側に設けられている上部支軸２０を位置させ、図３矢印方向へそのまま挿入する。この時、上部支軸２０は、組付部材２５内の抜止部材２２の軸止部３６に衝突することになるが（図１１（ａ））、上部支軸２０に押されて弾性片部３９が弾性変形し抜止部材２２は一時的に後退する（図１１（ｂ））。そのため、上部支軸２０は、略Ｌ字状に屈曲した連通部３３を通って上部軸受孔２１に入り込む（図１１（ｃ））。そして、上部支軸２０が上部軸受孔２１に入ってしまうと抜止部材２２の軸止部３６が弾性復元し、軸止部３６が再び連通部３３上に位置することになる。これにより上部支軸２０は、抜止部材２２の軸止部３６によって移動が規制されることになるため、上部軸受孔２１からの抜脱が防止される。このようにして、フロント扉２は筺体１に開閉自在に枢着されることになる。
【００１８】
一方、フロント扉２を筺体１から離脱させる場合、まず、フロント扉２を開放した状態にする。そして、図１１（ｄ）に示すように、抜止部材２２の摘子部３７を指などで矢印方向へと押してやる。これにより、抜止部材２２の弾性片部３９が弾性変形し抜止部材２２が連通部３３上から後退することになるので、あとは上部支軸２０を連通部３３に沿わせながら開口３２方向へと移動させれば、フロント扉２の上側が筐体１から離脱する。この時、フロント扉２の荷重は下部軸受孔１６に掛かるので、作業者はフロント扉２の荷重を受けることがない。そして、フロント扉２を持ち上げれば、下部支軸１５が下部軸受孔１６から抜けるので、フロント扉２は筐体１から簡単に離脱することになる。
【００１９】
ちなみに、この実施形態に示した下ヒンジ部３は、下向に突出する下部支軸１５をフロント扉２側に設け、該下部支軸１５が挿入される下部軸受孔１６を筺体１側に設けたが、上向に突出する下部支軸を筺体１側に設け、該下部支軸が挿入される下部軸受孔をフロント扉２側に設けるようにしてもよい。すなわち、下部支軸１５と下部軸受孔１６の上下関係を逆にし、該下部支軸１５と該下部軸受孔１６を設ける対象も逆にしてもよい。また、この実施形態に示した上ヒンジ部４は、上向に突出する上部支軸２０を筺体１側に設け、側面が開口３２した上部軸受孔２１をフロント扉２側に設けたが、下向に突出する上部支軸をフロント扉２側に設け、側面が開口した上部軸受孔を筺体１側に設けるようにしてもよい。すなわち、上部支軸２０と上部軸受孔２１についても上下関係を逆にし、該上部支軸２０と該上部軸受孔２１を設ける対象も逆にしてもよい。このように、下ヒンジ部３および上ヒンジ部４の支軸と軸受孔との関係を構成した場合も下部支軸を先に下部軸受孔に挿入してから上部支軸を開口から上部軸受孔に挿入すれば、重量のあるフロント扉であっても一人で簡単に組み付けることができ、また、離脱も簡単にできる。
【００２０】
なお、開口３２と上部軸受孔２１とを繋ぐ連通部３３を水平面内で略Ｌ字状に屈曲した形状に形成したことから、仮にフロント扉２が閉じられた状態において、不正にフロント扉を開けようとする強い外力が掛けられたとしても、その外力は上部支軸２０から抜止部材２２に直接及ぼされることがなく、上部支軸２０の抜脱が防止される。すなわち、前記フロント扉支持構造によれば、筐体１に閉止されているフロント扉２を無理にこじ開けるようとする不正行為に対しても防御することが可能である。
【００２１】
また、前記実施の形態では、筐体用取着プレート７に下ヒンジ部３と上ヒンジ部４とを構成するにあたり、取付基板７ａと下ヒンジ部３及び上ヒンジ部４との間に遮蔽板部７ｂを介在させている。そのため、フロント扉２を筐体１に閉止した状態において、該遮蔽板部７ｂがフロント扉２と筐体１との間にできる隙間を塞ぐ役目を果たし、針金等の異物を使った不正行為に対しても防御することができる。
【符号の説明】
【００２２】
１      筺体
２      フロント扉
３      下ヒンジ部
４      上ヒンジ部
１５    下部支軸
１６    下部軸受孔
２０    上部支軸
２１    上部軸受孔
２２    抜止部材
３２    開口
３３    連通部
【図１】
2016036434.tif 000003
【図２】
2016036434.tif 000004
【図３】
2016036434.tif 000005
【図４】
2016036434.tif 000006
【図５】
2016036434.tif 000007
【図６】
2016036434.tif 000008
【図７】
2016036434.tif 000009
【図８】
2016036434.tif 000010
【図９】
2016036434.tif 000011
【図１０】
2016036434.tif 000012
【図１１】
2016036434.tif 000013